(57)【要約】【課題】アルミ合金太陽エネルギーモジュール配線ボックス構造を提供する。【解決手段】  主に蓋体に設置する滑槽対応定位凸部とボックス体に設置する定位滑槽は対応し、こうして該蓋体は該ボックス体に設置する定位滑槽に従い推動され該ボックス体上に蓋合する。しかも故障しにくく、該蓋体が該ボックス体に蓋合する時、該貫通孔と該ボックス体の固定孔は対応し、該固定部品により固定することができる。また、該第一、二サポートフレーム体はそれぞれ該ボックス体に設置する２個の係合槽にそれぞれ係合固定し、該第一、二サポートフレーム体は電子部品をその上に固定する。しかも該ボックス体、該蓋体、該第一、二サポートフレーム体はアルミ合金により製造し、散熱効果を効果的に向上させることができ、導熱性が高く故障率が低いという性能と効果を達成することができる。【選択図】  図１
0003131663.tif 000002
【実用新案登録請求の範囲】
【請求項１】
太陽エネルギーモジュール配線ボックス構造であって、該配線ボックス構造はアルミ合金により製造されることを特徴とする、アルミ合金太陽エネルギーモジュール配線ボックス構造。
【請求項２】
ボックス体、蓋体、サポートフレーム組を含む太陽エネルギーモジュール配線ボックス構造であって、該ボックス体には散熱部、第一係合槽、第二係合槽、定位滑槽、固定孔、配線部を設置し、
該蓋体には滑槽対応定位凸部と貫通孔を設置し、該滑槽対応定位凸部と該ボックス体に設置する定位滑槽は対応し、これにより該蓋体は該ボックス体に設置する定位滑槽に従い推動され該ボックス体上に蓋合し、該蓋体が該ボックス体に蓋合する時、該貫通孔と該ボックス体の固定孔は対応し、こうして該固定部品により固定され、
該サポートフレーム組には第一、二サポートフレーム体を設置し、しかも該第一、二サポートフレーム体は該ボックス体に設置する第二係合槽にそれぞれ係合固定され、該固定部品により該第一、二サポートフレーム体と該ボックス体に設置する第一、二係合槽は固定され、しかも該サポートフレーム組はその上に電子パーツを固定し、
該ボックス体、該蓋体、該サポートフレーム組はアルミ合金により製造され、該ボックス体と該蓋体が結合する時、その辺縁は粘着体により封鎖されることを特徴とする、アルミ合金太陽エネルギーモジュール配線ボックス構造。
【考案の詳細な説明】
【技術分野】
【０００１】
本考案は一種のアルミ合金太陽エネルギーモジュール配線ボックス構造に関する。特に一種の電子部品を収容する配線ボックスに応用するアルミ合金太陽エネルギーモジュール配線ボックス構造に係る。
【背景技術】
【０００２】
公知の太陽エネルギーモジュール配線ボックスは図５に示すように、ボックス本体６０、上蓋板７０を含む。
該ボックス本体６０は数個の定位係合穿孔６１を設置し、該上蓋板７０は数個の定位係合柱７１を設置する。該ボックス本体６０の底部は中空を呈し、しかも中空の底部は２個のサポートフレーム体６２を一体に設置する。
使用時には電子部品を該サポートフレーム体６２上に固定し、該上蓋板７０に設置する定位係合柱７１を該ボックス本体６０に設置する定位係合穿孔６１と対応係合する。
【０００３】
該ボックス本体６０と該上蓋板７０はグラスフファイバーを充填したポリカーボネイドにより製造し、既存の太陽エネルギーモジュール配線ボックスの性能と効果を達成することはできるが、以下の問題が存在する。
1. 
導熱性が劣る：該ボックス本体と該上蓋体はグラスフファイバーを充填したポリカーボネイド材料により製造するため、その導熱性は不良で、配線ボックス内部電子部品の損壊を招き易い。
2.  故障率が高い：該上蓋板に設置する定位係合柱により、該ボックス本体に設置する定位係合穿孔に対応し係合するが、その定位係合柱はボックス本体と上蓋板の取り外しにより断裂し易く、定位係合柱が１本でも断裂すれば、蓋合の性能と効果を有効に発揮することはできない。
【考案の開示】
【考案が解決しようとする課題】
【０００４】
本考案は上記問題に鑑み、公知太陽エネルギーモジュール配線ボックスの導熱性不良と故障率が高いという問題を解決するため、本考案アルミ合金太陽エネルギーモジュール配線ボックス構造を完成する。
【課題を解決するための手段】
【０００５】
上記課題を解決するため、本考案は下記のアルミ合金太陽エネルギーモジュール配線ボックス構造を提供する。
本考案はアルミ合金太陽エネルギーモジュール配線ボックス構造を提供し、それはボックス体、蓋体、サポートフレーム組を含み、
該ボックス体は散熱部、第一、二係合槽、蓋体定位滑槽、固定孔、配線部を含み、
該蓋体は滑槽対応定位凸部と貫通孔を設置し、該蓋体に設置する滑槽対応定位凸部は該ボックス体に設置する定位滑槽と対応し、こうして該蓋体は該ボックス体に設置する定位滑槽に従い推動され該ボックス体上に蓋合し、しかも故障しにくく、
該蓋体が該ボックス体に蓋合する時、該貫通孔と該ボックス体の固定孔は対応し、該固定部品により固定することができ、
該サポートフレーム組は第一、二サポートフレーム体を設置し、該第一、二サポートフレーム体を該ボックス体に設置する２個の係合槽にそれぞれ係合固定し、該第一、二サポートフレーム体は電子部品をその上に固定し、しかも該ボックス体、該蓋体、該第一、二サポートフレーム体はアルミ合金により製造し、散熱効果を効果的に向上させることができ、導熱性が高く故障率が低いという性能と効果を達成することができるアルミ合金太陽エネルギーモジュール配線ボックス構造を提供する。
【考案の効果】
【０００６】
上記のように、本考案のボックス体、蓋体、第一、二サポートフレーム体はアルミ合金により製造し、散熱効果を効果的に向上させることができ、導熱性が高く故障率が低いという性能と効果を達成することができる。
【考案を実施するための最良の形態】
【０００７】
本考案の前記の及び他の技術内容、特徴と機能について、以下に図を用い、最適実施例について詳細に説明する。以下の実施例は説明用に用いるもので、本考案を制限するものではない。
【０００８】
本考案アルミ合金太陽エネルギーモジュール配線ボックス構造の立体組合せ、分解、断面状態指示図である図１、２、３に示すように、それはボックス体１０、蓋体２０、サポートフレーム組３０を含む。
該ボックス体１０は散熱部１１、第一係合槽１２、第二係合槽１３、定位滑槽１４、固定孔１５、配線部１６を設置する。
【０００９】
該蓋体２０は滑槽対応定位凸部２、貫通孔２２を設置し、該滑槽対応定位凸部２１と該ボックス体１０に設置する定位滑槽１４は対応し、これにより該蓋体２０は該ボックス体１０に設置する定位滑槽１４に従い推動され該ボックス体１０上に蓋合する。該蓋体２０が該ボックス体１０に蓋合する時、該貫通孔２２と該ボックス体１０の固定孔１５は対応し、こうして該固定部品４０は固定することができる（図４参照）。
【００１０】
該サポートフレーム組３０は第一、二サポートフレーム体３１、３２を設置し、しかも該第一、二サポートフレーム体３１、３２はそれぞれ該ボックス体１０に設置する第一、二係合槽１２、１３に係合固定する。また該固定部品４０により該第一、二サポートフレーム体３１、３２と該ボックス体１０に設置する第一、二係合槽１２、１３を固定し、しかも該サポートフレーム組３０はその上に電子パーツを固定する。
【００１１】
また、該ボックス体１０、該蓋体２０、該サポートフレーム組３０はアルミ合金により製造し、該ボックス体１０と該蓋体２０の結合時、その端辺は粘着体により封鎖する。
上記構造の対応組み合わせにより、本考案アルミ合金太陽エネルギーモジュール配線ボックス構造を完成する。
【００１２】
本考案アルミ合金太陽エネルギーモジュール配線ボックス構造の立体分解図、断面状態指示図である図２、３に示すように、該蓋体２０を該ボックス体１０に設置する定位滑槽１４に従い推動し該ボックス体１０上に蓋合する。該蓋体２０が該ボックス体１０に蓋合する時、該貫通孔２２と該ボックス体１の固定孔１５は対応し、こうして該固定部品４０により固定することができる。
【００１３】
また該サポートフレーム組３０の第一、二サポートフレーム体３１、３２はそれぞれ該ボックス体１０に設置する第一、二係合槽１２、１３に係合固定し、該第一、二サポートフレーム体１２、１３は電子部品をその上に固定する。
【００１４】
本考案アルミ合金太陽エネルギーモジュール配線ボックス構造の使用状態参考図である図４に示すように、該蓋体２０が該ボックス体１０に蓋合する時、該貫通孔２２と該ボックス体１０の固定孔１５は対応し、こうして該固定部品４０により固定され、該ボックス体１０底部の太陽エネルギー板５０も該固定部品４０により固定され、これにより本考案の別種の実用性を増やすことができる。
【図面の簡単な説明】
【００１５】
【図１】本考案の立体組合せ状態指示図である。
【図２】本考案の立体分解状態指示図である。
【図３】本考案の断面状態指示図である。
【図４】本考案の使用状態参考図である。
【図５】本考案の公知状態参考図である。
【符号の説明】
【００１６】
１０  ボックス体
１１  散熱部
１２  第一係合槽
１３  第二係合槽
１４  定位滑槽
１５  固定孔
１６  配線部
２０  蓋体
２１  滑槽対応定位凸部
２２  貫通孔
３０  サポートフレーム組
３１  第一サポートフレーム体
３２  第二サポートフレーム体
４０  固定部品
５０  太陽エネルギー板
６０  ボックス本体
６１  定位係合穿孔
６２  サポートフレーム体
７０  上蓋板
７１  定位係合柱
【図１】
0003131663.tif 000003
【図２】
0003131663.tif 000004
【図３】
0003131663.tif 000005
【図４】
0003131663.tif 000006
【図５】
0003131663.tif 000007